【事件の表示】
　特許第２９９４６４３号「画像伝送装置及びその方法」の請求項１、２に係る特許に対する特許異議の申立てについて、次のとおり決定する。
【結　論】
　訂正を認める。
　特許第２９９４６４３号の特許請求の範囲第１項ないし第２項に記載された発明についての特許を維持する。
【理　由】
１．手続の経緯
　　特許第２９９４６４３号の請求項１、２に係る発明についての出願は、昭和６２年２月１９日に特許出願され、平成１１年１０月２２日にその発明について特許の設定登録がされ、その後、その特許について、異議申立人有限会社オフィスアテナにより特許異議の申立てがなされ、取り消し理由通知がなされ、その指定期間内である平成１２年１１月１４日に訂正請求（後日取下げ）がなされた後、再度取り消し理由通知がなされ、その指定期間内である平成１２年１２月７日に訂正請求がなされたものである。
　
２．訂正の適否についての判断
　(1) 訂正の内容
　　　特許権者が求めている訂正の内容は以下のア、イ、ウのとおりである。
　　　なお、下線部が訂正箇所である。
　ア．訂正事項ａ
　　　特許請求の範囲の請求項１、２を
「（１）画像データを入力する入力手段と、
　前記入力手段によって入力された画像データを複数画素から成るブロックに分割する分割手段と、
　
前記
　前記符号化手段によって符号化された前記第１の符号化データを、前記第２の符号化データより前に配列して伝送する伝送手段とを有
し、
前記符号化手段は、所定データ量の前記画像データを符号化した際の前記第２の符号化データの符号量が所定範囲となるように符号化を行う
（２）画像データを入力
する入力工程と
　前記入力された画像データを複数画素から成るブロックに分割
する分割工程と
　
前記
する符号化工程と
　前記符号化された前記第１の符号化データを、前記第２の符号化データより前に配列して伝送
する伝送工程とを有し、
前記符号化工程は、所定データ量の前記画像データを符号化した際の前記第２の符号化データの符号量が所定範囲となるように符号化を行う
　イ．訂正事項ｂ
　　　願書に添付した明細書（以下「特許明細書」という。）２頁３行の「Ｔｒａｎｓｆｏｒｍａｔｉｎ」 を「Ｔｒａｎｓｆｏｒｍａｔｉｏｎ」と訂正する。
　ウ．訂正事項ｃ
　　　特許明細書７頁６行ないし８頁５行の記載を
「　本発明は上述の如き背景下において、画像データの質的な劣化を増大せずに、画像データを圧縮伝送することができる画像伝送装置及びその方法を提供することを目的とする。
〔課題を解決するための手段〕
　本発明に係わる画像伝送装置は、画像データを入力する入力手段と、前記入力手段によって入力された画像データを複数画素から成るブロックに分割する分割手段と、
前記
し、前記符号化手段は、所定データ量の前記画像データを符号化した際の前記第２の符号化データの符号量が所定範囲となるように符号化を行う
　また、本発明に係わる画像伝送方法は、画像データを入力
する入力工程と
する分割工程と
前記
する符号化工程と
する伝送工程とを有し、前記符号化工程は、所定データ量の前記画像データを符号化した際の前記第２の符号化データの符号量が所定範囲となるように符号化を行う
　(2) 訂正の目的の適否、新規事項の有無、及び特許請求の範囲の拡張・変更の存否
　　　上記訂正事項ａは、請求項１の「符号化手段」、請求項２の「符号化工程」を特許明細書の１２頁１６行ないし１３頁１８行の記載に基いて限定し、さらに、請求項２の記載を「工程」なる語句を用いて限定しているので、特許請求の範囲の減縮に該当するものであって、新規事項の追加に該当せず、また、実質上特許請求の範囲を拡張し、又は変更するものではない。
　　　また、上記訂正事項ｂは、明らかな誤記の訂正であり、上記訂正事項ｃは、上記訂正事項ａに伴う訂正であるので、明りょうでない記載の釈明を目的とする訂正であって、新規事項の追加に該当せず、また、実質上特許請求の範囲を拡張し、又は変更するものでもない。
　(3) むすび
　　　以上のとおりであるから、上記訂正は特許法第１２０条の４第２項及び同条第３項において準用する第１２６条第２、３項の規定に適合するので、当該訂正を認める。
　
３．特許異議の申立てについて
　(1) 申立ての理由の概要
　　　特許異議申立人有限会社オフィスアテナは、特許第２９９４６４３号の請求項１、２に係る発明は、甲第１、２号証で示す刊行物に記載された発明に基いて当業者が容易に発明することができたものであり、特許法第２９条第２項の規定のより特許を受けることができず、その特許は、特許法第１１３条第２号に該当するので取り消されるべきものである旨主張している。
　(2) 本件発明
　　　特許第２９９４６４３号の請求項１、２に係る発明（以下それぞれ「本件発明１」、「本件発明２」という。）は、平成１２年１２月７日付けの訂正明細書の特許請求の範囲の請求項１、２に記載された事項により特定されるとおりのものである（上記２．(1)ア．参照）。
　(3) 引用刊行物に記載された発明 
　　　当審が平成１２年９月６日に通知した取消しの理由において引用した刊行物１（特開昭６０−９６０７９号公報、甲第１号証）、刊行物２（特開昭６２−８６９３号公報、甲第２号証）には、それぞれ次のことが記載されている。
　ア．刊行物１（特開昭６０−９６０７９号公報、甲第１号証）
　　　刊行物１には、多値画像情報を、複数の画素で構成されたブロック分割を行って、各ブロックの代表画素基準値と、各画素の画素値と基準値の差分を符号がすることが記載されている。詳細には、次のことが記載されている。
「以下、本発明の多値画像の符号化方法の一実施例について第１図に示すフローチャートに従い、説明する。（イ）２次元に配列された画素よりなる画像において、画像を複数個のブロックに分割する。なお、各ブロックは複数個の画素よりなる。（ロ）ブロックの中に代表画素を定める。（ハ）代表画素に基準値を定める。・・・（ホ）ブロック内の各画素の値を、その画素の基準値と比較し、その差を求める。（へ）基準値と、上記の差を符号化したものが、１つのブロックの符号となる。」（第２頁右上欄６行ないし左下欄７行）
「第４図において、３１は画像を走査により読取る読取装置で、２５６レベルに量子化する。」（４頁左上欄６行ないし７行）
「３９は送付伝送制御装置３８を介して上記符号情報を回線に送出するモデムである。」（４頁右上欄８行ないし１０行）
「次に各画素について、画素値と基準値との差Ｄを求める。・・・他の方法として、ブロック内のＤの絶対値の最大値が一定の数以下であれば（以下、これを状態Ａとする）、１つのブロックの符号としては、代表画素の基準値（８ビット）と、状態Ａであること（１ビット）を符号化する。・・・１つのブロックの符号としては、代表画素の基準値（８ビット）・・・従って、１ブロック当り、状態Ａでは９ビット、状態Ｂでは３３ビットとなる。」（５頁左上欄８行ないし右上欄６行）
「以上述べたように、本実施例では、２次元的に分布する多値画像の集合よりなる画像に対し、画像を複数個の画素よりなるブロックの集合となし、このブロックの中に代表画素とその画素の基準値を定める。・・・そして当該ブロックの代表画素と、当該ブロックに隣接又は近房のブロックの代表画素の基準値を用いて当該ブロックの各画素の基準値を算出する。そして当該ブロック内の各画素の基準値との差を求めて符号化する。・・・１つのブロックに係る符号は基準値と差値を符号化したものである。・・・差値の符号化の中に含まれる。」（５頁右上欄１８行ないし左下欄１７行）
　イ．刊行物２（特開昭６２−８６９３号公報、甲第２号証）
　　　刊行物２には、一画面を複数画素で構成された画素ブロックに分割し、各ブロック内で基本画素データと追加画素データとに分割し、ブロック歪値に応じて追加画素を伝送するか否かを判断していることが記載されている。詳細には、次のことが記載されている。
「所定量の情報を含むデ−タグル−プ毎に決定された圧縮率で情報を圧縮記録するシステムに関するものである。」（１頁左下欄１７行ないし１９行）
「第１図は本実施例のシステムに於ける記録系の概略構成を示す図である。入力されたテレビジョン信号は帯域圧縮に適した信号形態に信号変換回路１で変換され、更に帯域圧縮に適したデータ配列に配列変換回路２で配列変換される。配列変換された画素データは帯域圧縮回路３へ供給される。」（２頁右下欄７行ないし１３行）
「第３図は一画面を多数に分割して得た画素ブロックに於ける帯域圧縮を説明するための図」（２頁右下欄１４行ないし１５行）
「スイッチ７は各フィールドの前半はＣ側、後半はＥ側に接続されるスイッチである。即ち一画面上の全てのＣモードデータが各フィールド期間の前半にメモリ３６より読出され、スイッチ７より出力される。この時全体の帯域圧縮率が１／２で、Ｃモードの帯縮率が１／４であるので、各データを同一間隔にて伝送することを考えれば画面全体のＣモードデータは１フィールドの１／２の期間で全て読出されることになる。次にＥモードもこ指定された画素ブロックの残りのデータが、メモリ４より読出され、スイッチ７より各フィールドの後半の１／２の期間で読出される。この時残りのデータのみ伝送すれば帯域率が３／４、Ｅモード画素ブロックの頻度が１／３であるのでこれも１フィールドの１／２の期間で全て読出されるものである。」（４頁左上欄１行ないし１７行）
「スイッチ７の出力データは・・・再度アナログ信号とされ、・・・ＦＭ変調回路１０に供給される。他方、前述のモード判定信号は・・・ディジタル変調・・・され、乗算器１３へ供給される。・・・・乗算器１３より出力される被変調モード判定信号とＨＰＦ１１より出力される被ＦＭ変調ビデオ信号とは加算器１５にて周波数多重することが可能となった。加算器１５の出力信号は、アンプ１６を介して回転磁気ヘッド１７に供給され、磁気テープ１８上に記録されることになる。」（４頁右上欄３行ないし左下欄６行）
　(4) 対比・判断
　　　本件発明１と上記刊行物１、２に記載された発明（以下それぞれ「刊行物１の発明」、「刊行物２の発明」という。）とを対比すると、刊行物１、２の発明には、「符号化手段」が「第２の符号化データの符号量が所定の範囲となるように符号化を行う」ことは記載されておらず、示唆する記載もない。
　　　しかも、「第２の符号化データの符号量が所定の範囲となるように符号化を行う」ことにより、本件発明１は、明細書記載の「符号量を増大させずに、画像劣化を防止し、復号側において再現性を向上させることができる」（訂正明細書〔発明の効果〕参照）といった顕著な作用効果を奏するものと認められる。
　　　してみると、本件発明１は、刊行物１、２の発明でないばかりか、刊行物１、２の発明に基いて当業者が容易に発明できたものでもない。
　　　次に、本件発明２と刊行物１、２の発明とを対比すると、刊行物１、２の発明には、「符号化工程」が「第２の符号化データの符号量が所定の範囲となるように符号化を行う」ことは記載されておらず、示唆する記載もない。
　　　しかも、「第２の符号化データの符号量が所定の範囲となるように符号化を行う」ことにより、本件発明２は、明細書記載の「符号量を増大させずに、画像劣化を防止し、復号側において再現性を向上させることができる」（訂正明細書〔発明の効果〕参照）といった顕著な作用効果を奏するものと認められる。
　　　してみると、本件発明２は、刊行物１、２の発明でないばかりか、刊行物１、２の発明に基いて当業者が容易に発明できたものでもない。
　
４．むすび
　　以上のとおりであるから、特許異議申立ての理由及び証拠によっては、本件請求項１、２に係る発明の特許を取り消すことはできない。
　　また、他に本件請求項１、２に係る発明の特許を取り消すべき理由を発見しない。
　　よって、結論のとおり決定する。
【異議決定日】
平成１２年１２月１２日（２０００．１２．１２）
【訂正の要旨】
訂正の要旨
▲１▼　訂正事項ａ
　特許請求の範囲の請求項１に係る記載
「（１）画像データを入力する入力手段と、
　前記入力手段によって入力された画像データを複数画素から成るブロックに分割する分割手段と、
　各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化する符号化手段と、
　前記符号化手段によって符号化された前記第１の符号化データを、前記第２の符号化データより前に配列して伝送する伝送手段とを有することを特徴とする画像伝送装置。
（２）画像データを入力し、
　前記入力された画像データを複数画素から成るブロックに分割し、　
　各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化し、
　前記符号化された前記第１の符号化データを、前記第２の符号化データより前に配列して伝送することを特徴とする画像伝送方法。」
　を特許請求の範囲の減縮を目的として
「（１）画像データを入力する入力手段と、
　前記入力手段によって入力された画像データを複数画素から成るブロックに分割する分割手段と、
　
前記
　前記符号化手段によって符号化された前記第１の符号化データを、前記第２の符号化データより前に配列して伝送する伝送手段とを有
し、
　
前記符号化手段は、所定データ量の前記画像データを符号化した際の前記第２の符号化データの符号量が所定範囲となるように符号化を行う
（２）画像データを入力
する入力工程と
　前記入力された画像データを複数画素から成るブロックに分割
する分割工程と
　
前記
する符号化工程と
　前記符号化された前記第１の符号化データを、前記第２の符号化データより前に配列して伝送
する伝送工程とを有し、
　
前記符号化工程は、所定データ量の前記画像データを符号化した際の前記第２の符号化データの符号量が所定範囲となるように符号化を行う
と訂正する。
▲２▼訂正事項ｂ
　誤記の訂正のために、明瞭でない記載の釈明を目的として明細書第２頁第３行の「Ｔｒａｎｓｆｏｒｍａｔｉｎ」を「Ｔｒａｎｓｆｏｒｍａｔｉｏｎ」と訂正する
▲３▼　訂正事項Ｃ
　上記特許請求の範囲の訂正に伴い、特許請求の範囲と発明の詳細な説明の記載との整合を図るために、明瞭でない記載の釈明を目的として明細書第７頁第６行〜第８頁第５行
「　本発明は上述の如き背景下において、画像データの質的な劣化を増大せずに、画像データを圧縮伝送することができる画像伝送装置及びその方法を提供することを目的とする。
〔課題を解決するための手段〕
　本発明に係わる画像伝送装置は、画像データを入力する入力手段と、前記入力手段によって入力された画像データを複数画素から成るブロックに分割する分割手段と、各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化する符号化手段と、前記符号化手段によって符号化された前記第１の符号化データを、前記第２の符号化データより前に配列して伝送する伝送手段とを有することを特徴とする。
　また、本発明に係わる画像伝送方法は、画像データを入力し、前記入力された画像データを複数画素から成るブロックに分割し、各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化し、前記符号化された前記第１の符号化データを、前記第２の符号化データより前に配列して伝送することを特徴とする。」の記載を
「　本発明は上述の如き背景下において、画像データの質的な劣化を増大せずに、画像データを圧縮伝送することができる画像伝送装置及びその方法を提供することを目的とする。
〔課題を解決するための手段〕
　本発明に係わる画像伝送装置は、画像データを入力する入力手段と、前記入力手段によって入力された画像データを複数画素から成るブロックに分割する分割手段と、
前期
し、前記符号化手段は、所定データ量の前記画像データを符号化した際の前記第２の符号化データの符号量が所定範囲となるように符号化を行う
　また、本失明に係わる画像伝送方法は、画像データを入力
する入力工程と
する分割工程と
前記
する符号化工程と
する伝送工程とを有し、符号化工程は、所定データ量の前記画像データを符号化した際の前記第２の化データの符号量が所定範囲となるように符号化を行う
と訂正する。
（５４）【発明の名称】
画像伝送装置及びその方法
（５７）【特許請求の範囲】
（１）画像データを入力する入力手段と、
　前記入力手段によって入力された画像データを複数画素から成るブロックに分割する分割手段と、
　前記各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化する符号化手段と、
　前記符号化手段によって符号化された前記第１の符号化データを、前記第２の符号化データより前に配列して伝送する伝送手段とを有し、
　前記符号化手段は、所定データ量の前記画像データを符号化した際の前記第２の符号化データの符号量が所定範囲となるように符号化を行うことを特徴とする画像伝送装置。
（２）画像データを入力する入力工程と、
　前記入力された画像データを複数画素から成るブロックに分割する分割工程と、
　前記各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化する符号化工程と、
　前記符号化された前記第１の符号化データを、前記第２の符号化データより前に配列して伝送する伝送工程とを有し、
　前記符号化工程は、所定データ量の前記画像データを符号化した際の前記第２の符号化データの符号量が所定範囲となるように符号化を行うことを特徴とする画像伝送方法。
【発明の詳細な説明】
〔産業上の利用分野〕
　本発明は、画像データを伝送する画像伝送装置及びその方法に関するものである。
〔従来の技術〕
　従来、例えば情報圧縮伝送方式において時間軸変換帯域圧縮方式（Ｔｉｍｅ　Ａｘｉｓ　Ｔｒａｎｓｆｏｒｍａｔｉｏｎ以下ＴＡＴと記す）が発表されているが、このＴＡＴ方式は情報信号の帯域圧縮を行う場合において、情報信号の粗密が場所により異なることを利用して情報信号を圧縮し伝送する方式である。
　第２図は一次元的な信号の処理においてＴＡＴ方式を用いた場合の原理を示したものである。
　第２図において、ます、原信号は点線にて示す如く所定の情報量毎に分割し、分割されたグループ毎に情報が粗であるか密であるかを判別する。そして、密と判断されたグループにおいては原信号をサンプリングして得たデータの全てを伝送データとして伝送し、粗と判断されたグループに於いては全てのデータ中の一部のみを伝送データとし、他を間引きデータとして伝送しないものとする。なお、図の○印で示したものが伝送されるデータ（伝送データ）で×印で示したものが伝送されないデータ（間引きデータ）である。
　これら○印で示された伝送データを一定間隔で伝送することにより、単位時間当りに伝送されるデータの数は減少し、伝送情報信号の帯域が圧縮される。
　以上の様にして伝送されたデータは復号時に伝送されなかった間引きデータを伝送された伝送データを用いて近似的に復元し補間データ（図中の○印）を得る。
なお、この補間データは情報が粗な部分に対応しており、間引きデータに極めて近似されたデータとして復元される為、全てのデータを伝送した場合に比べ実質的な情報量が変化せず、情報信号の伝送帯域については大幅に圧縮されたことになる。
　この時、各グループにおいて全てのデータを伝送するか、データの一部を伝送するかの判定は原信号の詳細さを調べて決定され、この判定情報は伝送モード情報信号として同時に伝送される。
　また、画像情報信号の場合は、水平方向のサンプリング間隔だけでなく、垂直方向のサンプリング間隔を変え、二次元的に処理する様にすることにより、画像情報の伝送帯域を圧縮することが出来る。
　画像情報信号の様な二次元的に信号を処理する場合には一画面をｍ×ｎ個の画素毎のグループに分割し、各グループに対して画像の粗密の状態を判別する。そして、密と判断されたグループにおいては全ての画素より得られるデータを伝送データとして伝送し、粗と判断されたグループにおいては該画素のうちの一部の画素より得られるデータを伝送データとして伝送し、残りの画素のデータについては間引きデータとして伝送しないものとする。
　ここで、全画素より得られるデータを伝送する場合をＥモード、一部の画素についてのデータのみを伝送する場合をＣモードと呼ぶとすると、各伝送モードにおいてデータが伝送される画素と伝送されない画素との関係は第３図に示した様になる。
　第３図は４×４個の画素グループにおけるＥモードとＣモードのデータが伝送される画素を示したもので（ａ）はＥモード、（ｂ）はＣモードを示しでいる。
　伝送する画像情報の一画面を画面の左上より右下に順に４×４個の画素グループに分割して行き、各グループ毎に画像の粗密に応じて、上記の様な２種の伝送モードを選択し、選択された伝送モードに応じて伝送する。
　第４図は上記の方法によりＮＴＳＣ方式のテレビ画面をコンポーネント復調し、時分割多重したテレビ画面のうちの１フイールド分の画面を４×４個の画素グループ毎に分割し、各グループに対して第３図に示したＥモード及びＣモードの伝送モードを割当てた図である。なお、○印はデータが伝送される画素、×印はデータが伝送されない画素である。
　この様にして伝送される画素のデータを一定の間隔で伝送することにより伝送帯域が圧縮され伝送されることになる。
　なお、伝送されない画素のデータについては復号時に近傍の伝送された画素のデータを用いて近似的に復元される為、全てのデータを伝送した場合に比べ実質的な情報量が変化せず、情報信号の伝送帯域については大幅に圧縮されたことになる。また、上述の様な情報圧縮伝送方式を用いて情報の伝送を行った場合、特に記録媒体等に記録し、これを再生する場合には伝送モードの異なる情報が記録媒体上に記録されているため該モード情報を誤って検出した場合には原信号を復元することが出来なくなってしまうが、この点を解決すべく、基本画素群と追加画素群を所定量毎に分離して伝送するという方法が提案されている。ここで基本画素というのはＥモードおよびＣモードの両者において伝送される画素を、追加画素とはＥモードのみにおいて伝送される画素のことを示す。
　この方法によれば、モード情報を誤って検出した場合においても、分離伝送した基本画素群の情報信号のみを取りだし、追加画素を補間することで情報信号の復元が可能となる。
〔発明が解決しようとする課題〕
　従来例において、さらに高圧縮率を得る場合には、ＥモードとＣモードの配分比を、追加画素が少なくなる方向つまりＣモードを多くする方向に変更する必要がある。
　しかしながら、Ｅモードで伝送する情報が少なくなればなる程、画像情報信号の場合は画質劣化が大きくなるという問題点を有する。
　本発明は上述の如き背景下において、画像データの質的な劣化を増大させずに、画像データを圧縮伝送することができる画像伝送装置及びその方法を提供することを目的とする。
〔課題を解決するための手段〕
　本発明に係わる画像伝送装置は、画像データを入力する入力手段と、前記入力手段によって入力された画像データを複数画素から成るブロックに分割する分割手段と、前記各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化する符号化手段と、前記符号化手段によって符号化された前記第１の符号化データを、前記第２の符号化データより前に配列して伝送する伝送手段とを有し、前記符号化手段は、所定データ量の前記画像データを符号化した際の前記第２の符号化データの符号量が所定範囲となるように符号化を行うことを特徴とする。
　また、本発明に係わる画像伝送方法は、画像データを入力する入力工程と、前記入力された画像データを複数画素から成るブロックに分割する分割工程と、前記各ブロックの画像データを、前記ブロック内の基本情報を表し、前記ブロックによらず固定のビット数となる第１の符号化データと、前記ブロック内の基本情報以外の情報を表し、前記ブロックに応じて可変のビット数となる第２の符号化データとに符号化する符号化工程と、前記符号化された前記第１の符号化データを、前記第２の符号化データより前に配列して伝送する伝送工程とを有し、前記符号化工程は、所定データ量の前記画像データを符号化した際の前記第２の符号化データの符号量が所定範囲となるように符号化を行うことを特徴とする。
〔実施例〕
　以下、本発明を実施例に基づき説明する。
　ここでは、本発明の一実施例として本発明をＶＴＲに適用した場合を例として説明する。また、ここで扱う情報信号はＮＴＳＣ方式のテレビジヨン信号をコンポーネント復調して時分割多重した信号とし、１フィールドのテレビ画面を複数の画素グループに分割する際、そのグループを４×４個の画素グループにより構成するものとする。そして、前記画素グループは第５図に示すように１個の基本画素と３個の追加画素から成る、サブ画素グループより構成される。
　第１図は本発明をＶＴＲの記録系に適用した場合の概略構成を示す図である。
　第１図に示す実施例では、Ｅモードで伝送を行う場合は、基本画素データを直接所定の量子変ビツト数（例えば８ビット）に符号化して伝送し、追加画素データについては、各サブ画素グループの基本画素との差分値を可変長符号化する差分符号化を行う事により得たデータとして伝送する。また、Ｃモードで伝送を行う場合は帯域制限を行った基本画素データをＥモードの基本画素データと同様に伝送する。
　第１図において入力された１フイールド分のアナログ・ビデオ信号はデイジタル・アナログ（Ａ／Ｄ）変換器１によってデイジタル・ビデオ信号に変換され、Ｅモードのデイジタル・ビデオ信号としてスイツチ２、プリフイルタ３、ブロツク歪演算回路１８に供給される。
　プリフイルタ３の入力されたＥモードのデイジタル・ビデオ信号の高周波成分を除去する二次元的なローパスフイルタで、該デイジタル・ビデオ信号を平均化するものである。そして該プリフイルタ３により平均化された３図（ａ）に示す様なＥモードのデイジタル・ビデオ信号は間引き回路５で第３図（ｂ）に示す様に１／４画素分のＣモードのデイジタル・ビデオ信号に間引く処理が行われるものである。なお、間引き回路５において処理されたＣモードのデイジタル・ビデオし号は第４メモリ６に記憶されると共にブロツク歪演算回路１８に供給される。
　前記スイツチ２において図中のＧ側に接続された時は、該デイジタル・ビデオ信号はスイツチ９に供給される。そして該スイツチ９では図中の１側に接続された時は、入力信号が第１メモリ１１に供給され、図中のＨ側に接続された時は、遅延回路１５により遅延されたサブ画素グループの基本画素に対応するデイジタルビデオ信号と、入力された追加画素に対応するデイジタルビデオ信号との差分信号が減算器２７により出力され符号器１６において、可変長符号化され、第２メモリ１０に供給される。
　また、前記スイツチ２において、図中のＦ側に接続された時には、該デイジタルビデオ信号は減算器２８において第１メモリ１１に保持されているサブ画素グループの基本画素に対応するデイジタルビデオ信号と差分演算され、差分信号が前記減算器２８より出力される。そして、該差分信号は符号器１７において、可変長符号化され、第３メモリ８に供給される。
　ここで符号器１６，１７は、入力差分信号が、例えばモード判定の閾値付近にある場合は４ビツト、他の場合は８ビツト以上で符号化するものであり、Ｅモードとして出現頻度の高い追加画素に対応する差分信号が、短い符号に変換される。これにより差分信号の平均符号長を短かくする事が出来る。
　なお、スイツチ２，９のスイツチ動作は同期信号発生回路７により発生される各種同期信号により制御されている。該同期信号発生回路７からは１ライン分の入力ビデオ信号の入力タイミングに同期した水平同期信号がスイツチ２に、１画素分の入力ビデオ信号の入力タイミングに同期した画素同期信号がスイツチ９に入力される。
　スイッチ２，９の動作により第３図（ａ）に示した様なＥモードのデイジタル・ビデオ信号は第６図において◎，△，▽印で示す様に４×４個の画素グループを分割し、第１メモリ１１には◎印の画素に対応する信号が記憶され、第２メモリ１０には△印の画素の基本画素との差分値を可変長符号化した信号が記憶され、第３メモリ８には▽印の画素の基本画素との差分値を可変長符号化した信号が記憶されることになる。
　ブロツク歪演算回路１８にはＥモードとＣモードのデイジタル・ビデオ信号が入力されており、Ｃモードのデイジタル・ビデオ信号に対しては、補間処理を行った後、１グループ毎にＥモードのデイジタル・ビデオ信号による画像信号と補間処理されたＣモードのデイジタル・ビデオ信号による画像信号とを比較して、その誤差情報を演算し、該誤差情報をブロック歪値として符号長メモリ１９および歪メモリ２０に供給する。
　符号長メモリ１９では該ブロツク歪値を持つ画素グループの追加画素すべての符号長を総和し、符号長情報各ブロツク歪値毎に記憶しておく。
　モード設定回路４では、設定されるブロツク歪閾値よりブロツク歪値が大きい場合にはＥモードで、小さい場合にはＣモードで伝送される様該グループに伝送モードを割当てを行うモード情報信号を発生する。つまり、このモード情報信号は１フイールドの画面上の密な部分のグループにはＥモード、粗の部分のグループにはＣモードのモード情報信号が対応する様に発生される。
　ここで閾値の設定も前記モード設定回路４において以下のように行う。１フイールド単位で各ブロツク歪値ごとに算出されている符号長情報信号を符号長メモリ１９より入力し、ブロツク歪値の大きいものから順次符号長情報信号を加算し、該符号長の総和が、所定量（例えば、追加画素の対応する信号の記録領域の大きさ）を越えない範囲において上述の様な符号長情報信号の加算動作をくり返し、動作終了後ブロツク歪値を用いて閾値を設定する。これにより追加画素の記録可能範囲内において入力ビデオ信号がなるべく多くＥモードにて伝送される様な閾値が設定される。
　この様にモード設定回路４において発生されたモード情報信号はモードメモリ１２に記憶される。
　第７図は上述の様にして設定されたモード情報信号の画面上に配置例を示したもので、この様に配置されたモード情報信号に応じて伝送されるべき画素の画面上の配置は第８図に示す様になる。
　しかしながら、前述の様に実際に伝送されるのは第９図に示す様な画面の各グループの基本画素全部と第１０図に示す様なＥモードと設定されたグループの追加画素の情報で、基本画素の情報は第１メモリ１１及び第４メモリ６に記憶され、追加画素の差分情報は第３メモリ８、第２メモリ１０に分割されて記憶されているので、これらメモリに記憶されている情報を該モード情報に応じて第１１図に示す様な形で出力される。
　以下、第１メモリ１１、第２メモリ１０、第３メモリ８、第４メモリ６読み出し動作について説明する。
　該モード判定回路４において発生されたモード情報はモードメモリ１２に記憶されている為、メモリ制御回路１３によりモードメモリ１２から記憶されているモード情報信号を読み出す。読み出されたモード情報信号はメモリ制御回路１３、アドレス演算回路１４、スイツチ２１に供給される。
　メモリ制御回路１３は入力されるモード情報信号に応じて第１メモリ１１からＥモード時の基本画素情報信号、第４メモリ６からＣモード時の基本画素情報信号をスイッチ２１に供給し、やはりモード情報信号に応じてスイツチ動作を行い第９図に示した様な基本画素情報信号をスイツチ２３に供給する。
　また、アドレス演算回路１４では入力されたモード情報信号に応じて第３メモリ８、第２メモリ１０の読み出しアドレスを演算し、該２つのメモリからのデータのスイツチを制御するもので、特に該モード情報信号においてＥモードが指定された時には出力すべき画素データのアドレスを演算して出力し、またＣモードの時は所定量の画素データを読み飛ばす様にアドレスを変化させる様にするもので、この様にアドレス演算回路１４により読み出された画素データはスイツチ２２に供給される。
　スイツチ２２は前記同期信号発生回路７から発生される水平同期信号に同期して１ライン毎に切換わるスイッチでこのスイツチ動作によりスイツチ２２の出力は第１０図に示した様な追加画素情報信号となり、スイツチ２３に供給される。
　スイツチ２３は前記同期信号発生回路７より発生される同期信号に同期して０．５フイールド毎に切換わるスイツチで、このスイツチ動作により出力される信号は第１１図に示す様に基本画素データと追加画素データが分離され時系列で出力され、ディジタル・アナログ（Ｄ／Ａ）変換器２４に供給され、再びアナログ信号に変換されてからローパスフイルタ（ＬＰＦ）２５を介して帯域制限された後、該モード情報信号と共に記録部２６において記録される。
　以上の様に画像情報信号は分割された全グループについて基本画素の固定長符号化情報信号とＥモードに設定されたグループの追加画素の可変長符号化差分情報し号とに分割された上で伝送される為、伝送情報信号を質的劣化を抑え圧縮する事が出来、また、復号時にはモード情報信号が誤った場合でも少なくとも基本画素の情報信号により複合することが可能となる。
　第１２図は本発明をＶＴＲの再生系に適用した場合の概略構成を示す図である。以下第１２図を用いて再生時の動作について説明する。
　第１２図においてシステムコントローラ４２において再生動作が選択されると再生部２９で再生された画素情報信号、モード情報信号はそれぞれＡ／Ｄ変換器３０、メモリ制御回路３４に入力される。
　画素情報信号はＡ／Ｄ変換器３０によりアナログ信号からデイジタル信号に変換されたスイッチ３１に入力される。スイツチ３１には再生部２９において発生される１／２フィールド期間に同期した同期信号が入力されており、このスイツチ３１により第１１図の様に記録されている該デイジタルの画素情報信号を基本画素と追加画素の情報信号とに分離し、それぞれを基本画素メモリ３２と追加画素メモリ３３とに記憶する。該スイツチ３１の切換え動作は該同期信号に同期して１／２フイールド期間毎に図中のＬ側からＭ側へ切換わる。
　一方、再生されたモード情報信号はメモリ制御回路３４に入力され、メモリ制御回路３４では入力されたモード情報信号に応じて基本画素メモリ３２及び追加画素メモリ３３からおのおの記憶されている画素情報信号を読み出す。
　なお、基本画素メモリ３２に記憶されている基本画素情報にはＥモードのものとＣモードのものとがある。そこで、スイツチ３５によってＣモードの基本画素情報はＣモード補間回路３６において伝送されなかった画素情報を伝送された画素情報を用ちて補間してから、Ｅモードの基本画素情報はそのままフイールドメモリ３５に記憶する。
　つまり、スイツチ３５には再生されたモード情報信号が入力されており、該モード情報に応じてＣモードの場合には図中のＣ側へ、またＥモードの場合には図中のＥ側へ接続される様に制御される。
　また、基本画素メモリ３２より読み出されたＥモードの基本画素情報は遅延回路３８にも供給されており、該遅延回路３８にて遅延された後、加算器３９に供給される。該加算器３９のもう一方の入力には追加画素メモリ３３から読み出され、復号器４０に可変長符号から固定長符号に復号された差分画素情報が供給されており、これら２つの入力情報が加算器３９により加算され、Ｅモードの追加画素情報が復元されて前記フイールドメモリ３７に記憶される。
　以上の様に１フイールド分の画素情報信号がフイールドメモリ３７に記憶された後、メモリ制御回路３４からの制御信号によりフイールドメモリ３７に記憶されている画素情報信号が画像情報信号として読み出されＤ／Ａ変換器４１においてアナログのビデオ信号に変換された後に出力される。
　尚、本実施例中では追加画素データについては各サブ画素グループの基本画素との差分値を可変長符号化する様にしたが、追加画素データ同志の差分値を可変長符号にする様にしても良い。
　また、可変長符号化の方法は上記の方法以外に例えばランレングス符号化等を行えば良いが、これに限るものではない。
　また、本実施例中ではＶＴＲを例に説明して来たが、本発明では情報信号を伝送するものであれば適用することが可能で、例えばデイスク装置や電送装置等にも適用出来る。
〔発明の効果〕
　以上説明したように、本発明によれば、符号量を増大させずに、画像劣化を防止し、復号側において画像の再現性を向上させることができる。
【図面の簡単な説明】
　第１図は本発明の一実施例として本発明をＶＴＲの記録系に適用した場の概略構造図である。
　第２図は一次元的な信号の処理においてＴＡＴ方式を用いた場合の原理図である。
　第３図は（ａ）は４×４個の画素グループにおけるＥモードの伝送される画素パターン、第３図（ｂ）はＣモードの伝送される画素パターンを示した図である。
　第４図はＮＴＳＣ方式のテレビ信号をコンポーネント復調して時分割多重した信号の１フイールドのテレビ画面を４×４個の画素グループ毎に分割し、各グループに対してＥモードおよびＣモードの伝送モードを割当てた場合を示した図である。
　第５図は４×４個の画素グループを構成する２×２個のサブ画素グループを示した図である。
　第６図は、第１図において４×４個の各画素と、該各画素情報を記憶するメモリとの対応を示す図である。
　第７図はモード情報信号の画面上の配置例を示した図である。
　第８図は第７図のように配置したモード情報信号に応じて伝送されるべき画素の画面上の配置を示した図である。
　第９図は画面上の画素において、基本画素の配置を示した図である。
　第１０図は画面上の画素において、追加画素の配置を示した図である。
　第１１図は基本画素と追加画素の情報信号の伝送形態を示した図である。
　第１２図は第１図の再生系の概略構成を示す図である。
　２，９，２１，２２，２３，３１，３５…スイツチ、５…３／４間引き回路、６，８，１０，１１…メモリ、４…モード判定回路、１２…モードメモリ、１３，１４…メモリ制御回路、１５，３８…遅延回路、１６，１７…符号器、１８…ブロツク歪演算回路、１９…符号長メモリ、２０…歪メモリ、２６…記録部、２７，２８…減算器、２９…再生部、３２…基本画素メモリ、３３…追加画素メモリ、３６…補間回路、３７…フイールドメモリ、３９…加算器、４０…復号器、４２…システムコントローラ。